(57)【要約】【課題】  背凭れの傾斜角度を調節するにつれて支持の強度や強さが自動的に変化して適度の強さで支持できるようにしたリクライニング式着座具を提供することにある。【解決手段】  背凭れクッションを前方に押し出す当て具が設けられ、当て具は弧状に湾曲して背凭れのクッション側に突出し、背凭れが後方に倒れるにつれて湾曲が緩くなって前方への突出が低くなり、背凭れが前方に起立するにつれて湾曲が急になって前方への突出が高くなるようにした。当て具には可撓性又は／及び復元性を備えたものを用いることができる。当て具は背凭れフレームに取付けて、背凭れフレームの前に設ける背凭れクッションの裏に隠れるようにしてある。当て具と背凭れクッションとの間や背凭れクッションに、パットを出し入れ可能な収容部を設けることもできる。【選択図】図１
2012075791.tif 000002
【特許請求の範囲】
【請求項１】
少なくとも座と背凭れを備えたリクライニング式着座具において、
背凭れクッションの裏側にそのクッションを前方に押し出す当て具が設けられ、当て具は弧状に湾曲して背凭れのクッション側に突出し、背凭れが後方に倒れるにつれて湾曲が緩くなって前方への突出が低くなり、背凭れが前方に起立するにつれて湾曲が急になって前方への突出が高くなることを特徴とするリクライニング式着座具。
【請求項２】
請求項１記載のリクライニング式着座具において、
可動体が背凭れにスライド可能に設けられ、
当て具の上端側が前記可動体に下端側が背凭れの下方側に取付けられ、その当て具は背凭れが後方に倒れるにつれて可動体が背凭れの上方にスライドすると湾曲が緩くなって前方への突出が低くなり、背凭れが前方に起立するにつれて可動体が背凭れの下方にスライドすると湾曲が急になって前方への突出が高くなることを特徴とするリクライニング式着座具。
【請求項３】
請求項１又は請求項２記載のリクライニング式着座具において、
当て具が可撓性又は／及び復元性を備えたものであることを特徴とするリクライニング式着座具。
【請求項４】
請求項１乃至請求項３のいずれかに記載のリクライニング式着座具において、
当て具がバネであることを特徴とするリクライニング式着座具。
【請求項５】
請求項１乃至請求項４のいずれかに記載のリクライニング式着座具において、
当て具を背凭れのフレームに取付けて、背凭れフレームの前に設ける背凭れクッションの裏に隠れるようにしたことを特徴とするリクライニング式着座具。
【請求項６】
請求項１又は請求項５のいずれかに記載のリクライニング式着座具において、
当て具とその前の背凭れクッションとの間又は背凭れクッションに、パットを出し入れ可能な収容空間を備えたことを特徴とするリクライニング式着座具。
【発明の詳細な説明】
【技術分野】
【０００１】
本願発明は、ソファ、椅子、ベッドといった着座具に関し、特に、背凭れを後方に傾ける（倒す）ことのできるリクライニング式着座具に関する。
【背景技術】
【０００２】
背凭れを電動式で後方に倒したり前方に起こしたりすることができるリクライニング式ソファが知られている（特許文献１）。背凭れのリクライニングに伴って、座が前後にスライドし、フットレストが前進、後退するソファもある。
【０００３】
リクライニング式ソファは、背凭れの角度、座の位置、フットレストの位置や高さ等を着座する人（使用者）の好みに合わせて調節できるため、座り心地がよく、使用者に無理な姿勢を強いることがなく、腰痛の人が着座するのに特に適する。
【先行技術文献】
【特許文献】
【０００４】
【特許文献１】特開２００２−１７５１４号
【発明の概要】
【発明が解決しようとする課題】
【０００５】
前記特許文献１記載のリクライニング式ソファは、背凭れのクッションの前面（背中に当たる面）が平坦であるため、背中を凭れかけるとクッションと腰の間に隙間ができて腰が背凭れで支持されず、使用者の上半身の体重が腰に掛かり、腰に負担が掛かり、長時間着座していると腰の辺りが疲れることもある。
【０００６】
楽な姿勢で着座でき、腰への負担を軽くするために、腰と背凭れの間にクッション材を宛がうこともあるが、クッション材を宛がったり外したりするのが面倒であった。また、クッション材が使用中に位置ずれして座り心地が悪くなるとか、背凭れの傾斜角度を変えるとクッション材の位置や高さを変えなければならないという面倒もあった。
【０００７】
本願発明の解決課題は、背凭れと背中の間にクッション材を宛がわなくても腰の上の辺りを支持することができ、背凭れの傾斜角度を調節するとそれにつれて支持の強度や強さが自動的に変化して適度の強さで支持できるようにしたリクライニング式のソファ、椅子、ベッド（以下、これらを総称して「着座具」という）を提供することにある。
【課題を解決するための手段】
【０００８】
本願発明のリクライニング式着座具は、少なくとも座と背凭れを備えたリクライニング式着座具において、背凭れクッションの裏側にそのクッションを前方に押し出す当て具が設けられ、当て具は弧状に湾曲して背凭れのクッション側に突出し、背凭れが後方に倒れるにつれて湾曲が緩くなって前方への突出が低くなり、背凭れが前方に起立するにつれて湾曲が急になって前方への突出が高くなるものである。
【０００９】
本願発明のリクライニング式着座具は、前記リクライニング式着座具において、可動体が背凭れにスライド可能に設けられ、当て具の上端側が前記可動体に下端側が背凭れの下方側に取付けられて、背凭れが後方に倒れるにつれて可動体が背凭れの上方にスライドすると湾曲が緩くなって前方への突出が低くなり、背凭れが前方に起立するにつれて可動体が背凭れの下方にスライドすると湾曲が急になって前方への突出が高くなるようにしてある。
【００１０】
本願発明のリクライニング式着座具は、前記リクライニング式着座具において、当て具を可撓性又は／及び復元性を備えたもの、例えば、バネとすることができる。当て具は背凭れフレームに取付けて、背凭れフレームの前に設ける背凭れクッションの裏に隠れるようにしてある。
【００１１】
本願発明のリクライニング式着座具は、前記リクライニング式着座具において、当て具とその前の背凭れクッションとの間又は背凭れクッションに、パットを出し入れ可能な収容部を設けることもできる。
【発明の効果】
【００１２】
本願発明のリクライニング式着座具は次のような効果がある。
（１）当て具が弧状に湾曲突出して、背凭れクッションを前方に押し出すので、背凭れを起こしたときの当て具の位置を所望位置、例えば、腰の上の辺りに当たる位置に設定しておけば、背凭れクッションと最も隙間の空き易い使用者の腰の上の辺りに当て具が接触して腰椎付近が支持されるので、腰椎付近の負担が軽くなり、背凭れ起立時の着座が楽になる。
（２）弧状の当て具が、背凭れが後方に倒れるにつれて湾曲が緩くなって前方への突出が低くなり、背凭れが前方に起立するにつれて湾曲が急になって前方への突出が高くなるので、背凭れを倒すと背中への当て具の接触（押し）が弱まるため、当て具が程良い強さで背中に接触し、背中が強く押され過ぎて痛くなることがなく、後傾姿勢も楽になり、腰に無理な負担がかからない。
（３）当て具が弾力性、復元性のあるバネの場合は、使用者の体型や体重に応じて変形可能であるため、背中に無理な力（押し）が掛らず楽である。
（４）当て具と背凭れクッションの間、又は、背凭れクッションの内側に補助パッドを収容可能な収容部を設ければ、収容部に補助パッドを入れて押される背中の位置、押される強さ、固さ等を調節することができ、快適な座り心地を確保することができる。
【図面の簡単な説明】
【００１３】
【図１】本発明のソファの一例を示すもので、背凭れが起立した状態の一部断面概要側面図。
【図２】本発明のソファの一例を示すもので、背凭れが後方に倒れた状態の一部断面概要側面図。
【図３】本発明のソファの一例を示すもので、背凭れの厚さ調節のためにクッションを入れる状態の一部断面概要説明図。
【図４】本発明のソファの一例を示すもので、背凭れ起立時に押し具の湾曲が急になった状態の斜視図。
【図５】本発明のソファの一例を示すもので、背凭れ後傾時に押し具の湾曲が緩くなった状態の斜視図。
【発明を実施するための形態】
【００１４】
（実施形態）
本願発明のリクライニング式着座具は、リクライニング式であればソファ以外のもの（椅子、ベッド等）も含み、ソファの場合も一人掛け、二人掛け、三人掛けといった各種形態のソファを含むが、以下に説明する実施形態は一人掛けのリクライニング式ソファの場合である。
【００１５】
図１のリクライニング式ソファは図示されていない固定フレームの両側面に設けた二つの肘掛け１と、両肘掛け１の間に配置されて固定フレームの上に前後にスライド可能に設けられた座２と、座２の後方に設けられた背凭れ３と、座２の前方に設けられたフットレスト４を備え、背凭れ３にその前方に湾曲突出する当て具５を備えている。
【００１６】
前記肘掛け１は固定フレームの両側面に設けた二つの肘掛けフレームの外側にクッションを被せ、その外側が表材、例えば皮革や布等で被覆されている。
【００１７】
前記座２は利用者が着座するものであり、前記両肘掛け１間に配置されて前記固定フレームの前後方向にスライド可能に設けられた座フレ−ム６の上に、座クッション７が設けられている。
【００１８】
前記背凭れ３は背凭れフレーム８の外周が被覆材９で被覆され、前面に背凭れクッション１０が設けられている。
【００１９】
前記フットレスト４はフットフレームの外周がクッション材で被覆されている。
【００２０】
前記、座２、背凭れ３、フットレスト４のリクライニング機構は既存のリクライニング式ソファと同様のリクライニング構造、機構であっても、新規な構造、機構であってもよく、座フレ−ム６に電動モータ、エアシリンダ等の駆動部が連結され、その駆動部により図１の状態から図２のように座フレーム６を前方にスライドさせると背凭れ３が後方に倒れ、フットレスト４が前方に伸び、図２の状態から図１のように座フレーム６を後方にスライドさせる（引き戻す）と背凭れ３が前方に起立してフットレスト４が座２の下に折畳まれるようにしてある。リクライニングの操作はリモコン操作可能とすることもできる。
【００２１】
当て具５は背凭れクッション１０を前方に押して、背凭れクッション１０を利用者の腰部付近に押し当ててその付近を支持するものであり、背凭れ３を図１のように起こしたときに前方にアーチ状に湾曲突出して、当て具５の前面に配置される背凭れクッション１０を前方に突出させ、背凭れクッション１０の突出部１１が利用者の腰部付近に当たって腰部付近が支持され、図２のように背凭れ３を後方に倒す（後傾させる）と、当て具５が伸びてその湾曲が緩くなって腰部付近の押しが、背凭れ３の起立時よりも弱くなるようにしてある。
【００２２】
前記背凭れフレーム８は、二枚の縦材１２（図４）が上横材１３と下横材１４で連結され、両縦材１２の下端部が座フレ−ム６の後端部に連結治具１５により回動可能に連結されている。上横材１３は帯状の平板であり、下横材１４は帯状の板であるがその横長方向中央部が横長方向両端部よりも前方に突出している。二枚の縦材１２の夫々の内面には二枚のガイド板１６（図４）を縦向斜めに取付けて、両ガイド板１６の間をガイド溝１７としてある。ガイド溝１７内には板状の可動体１８（図４）の横方向両端側が嵌入されて、可動体１８がガイド溝１７に沿って上下にスライド可能としてある。可動体１８には裾広がりのコ字状のガイド具１９（図４）の上端部が図１、図２のように連結治具１９ａ（図４、図５）で回動可能に取付けられ、ガイド具１９の下端部が座フレーム６に連結治具２０（図４）で連結されている。この構造とすることにより、て、背凭れフレーム８（図１）が図２のように後方に倒れるとガイド具１９が後方に回動傾斜して、可動体１８がガイド溝１７に沿って背凭れフレーム８の先端側に移動し、背凭れフレーム８（図２）が図１のように起立するとガイド具１９が前方に回動し（戻り）、その回動に伴って可動体１８がガイド溝１７に沿って背凭れフレーム８の下端側に移動する（戻る）ようにしてある。
【００２３】
前記当て具５にはＳ字バネ（波形バネ）５ａが使用され、２本の波形バネ５ａが平行に配置され、それら波形バネ５ａの下端が前記下横材１４（図４）に固定され、上端が可動体１８（図４）に固定されて、背凭れフレーム８が起立している図１の状態で、２本の波形バネ５ａが弧状に湾曲して前方に突出している。２本の波形バネ５ａは連結材２１により連結されて、左右への振れが抑制されている。この状態で背凭れフレーム８（図１）がリクライニングして後傾する（図２の状態になる）と可動体１８が背凭れフレーム８の先端側に移動し、その移動に伴って波形バネ５ａの上端と下端の間隔が広がって（波形バネ５ａが伸びて）波形バネ５ａの湾曲突出が緩くなり、背凭れフレーム８が起立する（図１の状態に戻る）と可動体１８が背凭れフレーム８の下端側に移動し、その移動に伴って波形バネ５ａの上端と下端の間隔が狭まって（波形バネ５ａが縮んで）、波形バネ５ａの湾曲突出が急になる（高くなる）ようにしてある。
【００２４】
本実施形態では当て具５の一例として波形バネ５ａを２本使用してあるが、当て具５は横幅の広い波形バネ５ａを一本使用してもよく、横幅の狭い波形バネ５ａを三本以上使用してもよい。本実施形態では当て具５の一端のみを可動体１８に固定しているが、当て具５の両端を別々の可動体に固定して、相互に接近、離間することによって当て具５の湾曲に緩急を付くられるようにしてもよい。当て具５は波形バネ５ａ以外のもの、他の材質、形状、構造のものであってもよく、例えば、弧状（アーチ状）に湾曲した状態から緩やかなアーチ状又は平坦状になるまで変形可能であり、元の弧状まで戻ることのできる可撓性、復元性、弾性を備えた板ばねとか、伸縮性のある蛇腹状の金属板等であってもよい。
【００２５】
図１の座クッション７、背凭れクッション１０、フットレスト４用のクッションは既存のソファに使用されているウレタン製のクッションとか、他の材質、例えば、低反発性のクッションや綿といった材質製のものであってもよい。
【００２６】
図示した背凭れクッション１０（図１）は前面（背当て面）を３段の波形にしてあり、最下段のクッション１０ａは小さな袋状にし、その下端部を背凭れクッション１０の下部に縫い付け、上端部を面ファスナーとか他の止め具２２により背凭れクッション１０に開閉可能に取り付けて、背凭れクッション１０と最下段のクッション１０ａとの間に収容空間２３（図３）を設けて、その収容空間２３に補助パット２４（図３）を出し入れできるようにしてある。パット２４にはクッション材と同じ材質、異なる材質のものを使用することができる。パット２４のサイズ、厚さ、収容位置（高さ）等は利用者の好みに合わせて選択することができる。
【００２７】
図３の実施形態では収容空間２３を背凭れクッション１０と最下段のクッション１０ａの間に設けてあるが、収容空間２３は他の箇所、例えば、当て具５（図３）の上から背凭れフレーム８の前面に被せた裏シート（図示せず）と、背凭れクッション１０との間に設けることもできる。この場合は背凭れクッション１０を前傾させて、その裏側から収容空間２３にパットを出し入れすることができる。
【００２８】
（当て具の作用）
前記当て具５は、リクライニング式ソファの動作（リクライニング）に伴って次のように動作する。
（１）図１のように背凭れ３が起立している状態では、当て具５が略半円状に湾曲して前方に突出し、背凭れクッション１０の当接部を前方に押し出して、背凭れクッション１０の突出部１１（図１）が使用者の腰部付近に当たって、腰部付近を支持することができる。
（２）図１の起立状態から、リクライニング用の駆動部を作動させて座２を前方にスライドさせると、図２のように背凭れ３が後方に倒れる。このとき、可動体１８（図４）がガイド溝１７に沿って背凭れ３の上方へスライドして、当て具５の波形バネ５ａの上端と下端の間隔が広がって波形バネ５ａが伸び、弧状の湾曲が徐々に緩くなって、腰部付近への接触が緩くなる。
（３）図２の状態から図１の状態まで背凭れ３を起こすと、背凭れ３を倒す場合とは逆に、可動体１８がガイド溝１７に沿って背凭れ３の下方へスライドし、当て具５の波形バネ５ａの上端と下端の間隔が狭まって波形バネ５ａが縮み、弧状の湾曲が徐々に元に復帰して急になり（突出し）、腰部付近への当たり（腰部付近の押し）が強くなる。
【産業上の利用可能性】
【００２９】
前記実施形態では、リクライニング式のソファを一例として説明しているが、座と背凭れを備えた各種着座具、例えば、家庭、学校、オフィスなどで使用する椅子、自動車、列車、飛行機のシート、ベッド等において利用することができる。可能であればマッサージチェアにも利用することができる。
【符号の説明】
【００３０】
１      肘掛け
２      座
３      背凭れ
４      フットレスト
５      当て具
５ａ    波形バネ
６      座フレーム
７      座クッション
８      背凭れフレーム
９      被覆材
１０    背凭れクッション
１０ａ  最下段のクッション
１１    （背凭れクッションの）突出部
１２    縦材
１３    上横材
１４    下横材
１５    連結治具
１６    ガイド板
１７    ガイド溝
１８    可動体
１９    ガイド具
１９ａ  連結治具
２０    連結治具
２１    連結材
２２    止め具
２３    収容空間
２４    パット
【図１】
2012075791.tif 000003
【図２】
2012075791.tif 000004
【図３】
2012075791.tif 000005
【図４】
2012075791.tif 000006
【図５】
2012075791.tif 000007